(57)【要約】【課題】排泄装置の内部に排泄された排泄物を確実に回収するとともに、使用者に痛みや不快感を生じさせない装着型排泄装置の提供。【解決手段】排泄物を収容する排泄物容器６と、人体の股部に装着可能な装着部２と、装着部２に設けられ、人体の陰部に臨んで排泄物を受ける受け部１１と、受け部１１と排泄物容器６とを連結する環状の流通路を形成するチューブ２１ａ，２１ｂと、環状の流通路内を走行するワイヤー２２および送りコマ２３により、受け部１１の排泄物を、チューブ２１ａを通じて排泄物容器６へ搬送する搬送装置４とを有する。【選択図】図１
2013085827.tif 000002
【特許請求の範囲】
【請求項１】
排泄物を収容する排泄物容器と、
人体の股部に装着可能な装着部と、
前記装着部に設けられ、前記人体の陰部に臨んで排泄物を受ける受け部と、
前記受け部と前記排泄物容器とを連結する環状の流通路を形成する中空筒状体と、
前記環状の流通路内を走行する走行体により、前記受け部の排泄物を、前記中空筒状体を通じて前記排泄物容器へ搬送する搬送装置と
を有する装着型排泄装置。
【請求項２】
前記走行体は、前記環状の流通路を通じて配置された環状の紐状体と、前記環状の紐状体に所定間隔で配設され、前記環状の紐状体の移動に伴って前記中空筒状体内を摺動することにより、前記受け部の排泄物を前記排泄物容器まで搬送する摺動体とを含むものである請求項１記載の装着型排泄装置。
【請求項３】
前記受け部に洗浄水を給水する給水装置を有する請求項１または２に記載の装着型排泄装置。
【請求項４】
前記給水装置は、前記受け部よりも高い位置に配設される容器内に前記洗浄水を保持し、水頭差によって前記洗浄水を前記受け部に給水するものである請求項３記載の装着型排泄装置。
【発明の詳細な説明】
【技術分野】
【０００１】
本発明は、病人や介護を必要とする患者にとって、排泄の度に取り替えの不要な装着型排泄装置に関する。
【背景技術】
【０００２】
病気、怪我あるいは加齢により、自力でトイレに行くことのできない病人や介護を必要とする患者が、紙おむつを使用することがある。しかし、紙おむつを使用する場合には、排泄の度に取り替えが必要で、介護者にとって負担であるばかりでなく、使用者の自尊心を傷付ける問題がある。このため、おむつのように、人体の股部に装着可能な形状をした装着型排泄装置であり、排泄装置の内部に溜まった排泄物を外部からパイプを通じて吸引する排泄装置が提案されている（例えば、特許文献１，２参照。）。
【０００３】
また、同様の装着型排泄装置であって、排泄物の漏れをセンサーで検知したり(例えば特許文献３参照。)、洗浄力を高めたり（例えば、特許文献４参照。）する技術も提案されている。これら以外にも、使用者や介護者の負担を減らすための排泄装置が提案されている（例えば、特許文献５，６，７参照。）。
【先行技術文献】
【特許文献】
【０００４】
【特許文献１】特開平６−５４８７４号公報
【特許文献２】特開２００５−６６０１１号公報
【特許文献３】特開平９−３０８６５７号公報
【特許文献４】特開２００４−１０５５０６号公報
【特許文献５】特開２００１−１９０５８３号公報
【特許文献６】特開２００２−３２０６５０号公報
【特許文献７】特開２００３−１４４４７６号公報
【発明の概要】
【発明が解決しようとする課題】
【０００５】
上記従来の装着型排泄装置は、排泄装置の内部に排泄された排泄物が、吸引パイプなどを通じてモータやブロワーの吸引力により吸引される。このとき、吸引のための圧力が排泄装置内部に及び、排泄装置内部にある人体の局部、陰部などが、この吸引により引っ張られる。このため、使用者は排泄物の吸引時に、痛みや不快感などを受ける。
【０００６】
また、このように吸引圧力のみによって排泄物を吸引しようする場合、排泄物の大きさや硬さ等によっては排泄物を十分に排泄装置内部から吸引することができないことがある。そのため、排泄物が排泄装置内部に残らないようにするために非常に大きな吸引圧力をかける必要があり、局部や陰部への引張圧力がますます高まり、使用者の不快感はさらに耐え難いものとなる。また、吸引圧力によって排泄物を吸引する際に大きな音が発生するため、病院等の相部屋等では周囲に迷惑が掛かり、使用することが難しい。
【０００７】
そこで、本発明においては、排泄装置の内部に排泄された排泄物を確実かつ静かに回収するとともに、使用者に痛みや不快感を生じさせない装着型排泄装置を提供することを目的とする。
【課題を解決するための手段】
【０００８】
本発明の装着型排泄装置は、排泄物を収容する排泄物容器と、人体の股部に装着可能な装着部と、装着部に設けられ、人体の陰部に臨んで排泄物を受ける受け部と、受け部と排泄物容器とを連結する環状の流通路を形成する中空筒状体と、環状の流通路内を走行する走行体により、受け部の排泄物を、中空筒状体を通じて排泄物容器へ搬送する搬送装置とを有するものである。本発明の装着型排泄装置によれば、受け部に排泄された排泄物は、受け部と排泄物容器とが中空筒状体により連結されて形成された環状の流通路を通じて、この流通路内を走行する走行体に接触して排泄物容器へ直接搬送され、排泄物容器内へ収容される。
【０００９】
ここで、走行体は、環状の流通路を通じて配置された環状の紐状体と、環状の紐状体に所定間隔で配設され、環状の紐状体の移動に伴って中空筒状体内を摺動することにより、受け部の排泄物を前記排泄物容器まで搬送する摺動体とを含むものであることが望ましい。これにより、環状の紐状体の移動に伴って摺動体が中空筒状体内を摺動することにより、中空筒状体内に排泄物が残ることなく排泄物容器へ搬送され、排泄物容器へ収容される。
【００１０】
また、本発明の装着型排泄装置は、受け部に洗浄水を給水する給水装置を有するものであることが望ましい。これにより、受け部および受け部を走行する走行体が洗浄水により洗浄されるとともに、この洗浄水が排泄物とともに中空筒状体を通じて排泄物容器へと搬送されることにより、中空筒状体内が洗浄される。また、この洗浄水の給水により排泄物が柔らかくなるため、走行体がスムーズに走行できるようになる。
【００１１】
また、給水装置は、受け部よりも高い位置に配設される容器内に洗浄水を保持し、水頭差によって洗浄水を受け部に給水するものであることが望ましい。これにより、洗浄水を受け部に給水する際に大きな動力は不要となる。
【発明の効果】
【００１２】
（１）排泄物を収容する排泄物容器と、人体の股部に装着可能な装着部と、装着部に設けられ、人体の陰部に臨んで排泄物を受ける受け部と、受け部と排泄物容器とを連結する環状の流通路を形成する中空筒状体と、環状の流通路内を走行する走行体により、受け部の排泄物を、中空筒状体を通じて排泄物容器へ搬送する搬送装置とを有することにより、受け部に排泄された排泄物は、流通路内を走行する走行体に接触して排泄物容器へ直接搬送され、排泄物容器内へ収容されるので、排泄装置の内部に排泄された排泄物を確実に回収することが可能となる。また、従来のように吸引圧力を利用しないため、使用者に痛みや不快感を生じさせることもない。さらに、吸引の異常音の発生もなく、排泄物を静かに回収することが可能であり、病院等の相部屋等でも周囲に迷惑をかけることなく安心して使用することが可能となる。
【００１３】
（２）走行体が、環状の流通路を通じて配置された環状の紐状体と、環状の紐状体に所定間隔で配設され、環状の紐状体の移動に伴って中空筒状体内を摺動することにより、受け部の排泄物を前記排泄物容器まで搬送する摺動体とを含むものであることにより、中空筒状体内の排泄物を残さず回収することが可能となる。
【００１４】
（３）受け部に洗浄水を給水する給水装置を有することにより、受け部および受け部を走行する走行体が洗浄水により洗浄されるとともに、この洗浄水が排泄物とともに中空筒状体を通じて排泄物容器へと搬送されることにより、中空筒状体内が洗浄され、装着型排泄装置が清潔に保たれる。また、この洗浄水の給水により排泄物が柔らかくなるため、走行体がスムーズに走行できるようになり、硬めの排泄物であっても効率良く回収することが可能となる。
【００１５】
（４）給水装置が、受け部よりも高い位置に配設される容器内に洗浄水を保持し、水頭差によって洗浄水を受け部に給水するものであることにより、洗浄水を受け部に給水する際に大きな動力は不要となり、簡単な構造で故障が少なく、低廉な装着型排泄装置が得られる。
【図面の簡単な説明】
【００１６】
【図１】本発明の実施の形態における装着型排泄装置の側面図である。
【図２】図１のＡ−Ａ断面図である。
【図３】図１の装着型排泄装置本体の右側面図である。
【図４】図１の搬送装置駆動部の縦断面図である。
【図５】図４のＢ−Ｂ断面図である。
【発明を実施するための形態】
【００１７】
図１は本発明の実施の形態における装着型排泄装置の側面図、図２は図１のＡ−Ａ断面図、図３は図１の装着部の右側面図、図４は図１の搬送装置駆動部の縦断面図、図５は図４のＢ−Ｂ断面図である。
【００１８】
図１において、本発明の実施の形態における装着型排泄装置１は、人体Ｂの股部に装着され、人体Ｂの陰部に臨んで排泄物を受ける受け部１１を有する装着部２と、受け部１１に受けた排泄物を回収する装置本体３と、受け部１１から装置本体３まで排泄物を搬送する搬送装置４とから構成される。また、装置本体３には、搬送装置４の駆動部５と、排泄物を収容する排泄物容器６と、洗浄水を給水する給水装置７とを備えている。
【００１９】
装着部２は、前述の受け部１１と、受け部１１の一部であって受け部１１内の排泄物を集合させる集合部１２と、受け部１１内の洗浄および人体Ｂの陰部の洗浄を行う洗浄装置１３とを有する。集合部１２には、搬送装置４の一部である回転ローラ２０が設けられている。回転ローラ２０の上面は、この回転ローラ２０の上面に落下した排泄物が集合部１２内に落下しやすいように、上に凸の半球状に形成されている。
【００２０】
装着部２は、人体Ｂが触れても炎症やアレルギー反応が起きない安全な素材でできており、防水性と通気性を有した生地でできている。また、臭い漏れを防止するために、外側をナイロンやビニールなどの素材で覆うことも可能である。また、装着部２は、人体Ｂの股部により跨ぐようにして装着されるので、装着部２は、股部へフィットするように、人体に触れる部分は柔らかく、外側は硬質な素材で形成することも可能である。
【００２１】
集合部１２は、受け部１１の底部の部分であり、装着部２が人体Ｂに装着された際に人体Ｂの局部（排泄器官の位置）に対向する位置に形成されている。この集合部１２には、人体Ｂの排泄器官から排泄された排泄物を直接受けるとともに、受け部１１により受けた排泄部も、受け部１１の内面に沿って集合部２に集められる。
【００２２】
搬送装置４は、前述の回転ローラ２０と、受け部１１の集合部１２と装置本体３の排泄物容器６とを連結する環状の流通路を形成する中空筒状体としてのチューブ２１ａ，２１ｂと、前述の駆動部５と、環状の紐状体としてのワイヤー２２と、ワイヤー２２に所定間隔で複数配設された摺動体としての球状の送りコマ２３とから構成されている。駆動部５は、駆動モータ２４と、駆動モータ２４により回転駆動される駆動側プーリ２５とを有する。ワイヤー２２は、チューブ２１ａ，２１ｂを通じて駆動側プーリ２５と回転ローラ２０とに掛け回されて環状に配置されている。また、ワイヤー２２に適度な張力を与えるため、駆動モータ２４はシャフト２６によってスライド可能に支持され、スプリング２７によって押圧されている。シャフト２６は、シャフト用架台２８によって支持されている。
【００２３】
給水装置７は、受け部１１よりも高い位置に配設される容器としての筒型注水タンク３０内に洗浄水を保持し、水頭差を利用して洗浄水を洗浄装置１３に給水するものである。筒型注水タンク３０は、伸縮可能となっており、不要時には装置本体３内に収納することが可能となっている。また、筒型注水タンク３０は、水位が目視できるように透明となっており、内部には水位を示すフロート３０ａが備えられている。筒型注水タンク３０内の洗浄水は、電磁弁３１およびホース３２を通じて洗浄装置１３へ供給される。また、この筒型注水タンク３０内の洗浄水は、搬送装置４の駆動部５の下部へも供給され、コマ洗浄装置２９から送りコマ２３へ向けて噴射されるようになっている。
【００２４】
上記構成の装着型排泄装置１は、人体Ｂの股部に装着されて使用される。この人体Ｂの股部への装着状態では、排泄器官である陰部に対向する位置に受け部１１が配置される。使用者は、排泄時において、受け部１１に排泄物を排泄する。受け部１１に排泄された排泄物は、集合部１２へ溜まる。このとき、必要に応じて洗浄装置１３により洗浄水が陰部に噴射され、排泄後の陰部を清潔にする。
【００２５】
そして、排泄が終了すると、搬送装置４により、受け部１１の集合部１２内の排泄物を、チューブ２１ａを通じて排泄物容器６へ搬送する。このとき、搬送装置４は、駆動モータ２４により駆動側プーリ２５を回転駆動することにより、駆動側プーリ２５と回転ローラ２０とに掛け回されたワイヤー２２を、受け部１１の集合部１２と装置本体３の排泄物容器６とチューブ２１ａ，２１ｂによって構成された環状の流通路内で走行させる。ワイヤー２２とともに走行体を構成する送りコマ２３は、このワイヤー２２の移動に伴って環状の流通路内で走行し、チューブ２１ａ内を摺動することにより、集合部１２内の排泄物は集合部１２からチューブ２１ａ内へ送られ、チューブ２１ａを通じて排泄物容器６まで搬送される。
【００２６】
また、受け部１１内では、必要に応じて洗浄装置１３により洗浄水が集合部１２へ噴射され、集合部１２内が洗浄される。さらに、搬送装置４の駆動部５の下部では、コマ洗浄装置２９から送りコマ２３へ向けて洗浄水が噴射され、送りコマ２３が洗浄される。この洗浄された送りコマ２３は、チューブ２１ｂを通じて排泄物容器６へ走行し、再び集合部１１からチューブ２１ａを通じて、排泄物を排泄物容器６まで搬送する。
【００２７】
すなわち、本実施形態における装着型排泄装置１によれば、受け部１１に排泄された排泄物は、受け部１１と排泄物容器６とがチューブ２１ａ，２１ｂにより連結されて形成された環状の流通路を通じて、この流通路内を走行する送りコマ２３に接触して排泄物容器６へ直接搬送され、排泄物容器６へ収容される。したがって、装着型排泄装置１の内部に排泄された排泄物を確実に回収することが可能となる。
【００２８】
また、この装着型排泄装置１では、従来のように吸引圧力を利用しないため、使用者に痛みや不快感を生じさせることもない。また、吸引の異常音の発生もなく、排泄物を静かに回収することが可能であり、病院等の相部屋等でも周囲に迷惑をかけることなく安心して使用することが可能となる。さらに、従来のように吸引圧力を利用する排泄装置のように、吸引ポンプや吸引排出電磁弁等を制御する大掛かりな電子回路やセンサーが不要であり、誤作動などのトラブルが起こりにくい。
【００２９】
また、本実施形態における装着型排泄装置１では、環状の流通路内を走行する走行体が環状のワイヤー２２と、この環状のワイヤー２２に所定間隔で配設され、環状のワイヤー２２の移動に伴ってチューブ２１ａ内を摺動することにより、受け部１１の排泄物を排泄物容器６まで搬送する送りコマ２３とにより構成されるので、チューブ２１ａ内に排泄物が残ることなく排泄物容器６へ搬送され、排泄物容器６へ収容される。
【００３０】
なお、送りコマ２３の形状については、板状、筒状や半球状などの様々なものを採用することも可能である。また、ワイヤー２２に代えて、チェーン、ベルトや紐などを採用することも可能である。さらに、チューブ２１ａ，２１ｂは、可撓性の有無に拘わらず使用可能であり、チューブ２１ａ，２１ｂに代えてホースやパイプなどを採用することも可能である。
【００３１】
また、本実施形態における装着型排泄装置１では、受け部１１に洗浄水を給水する給水装置７を有するので、受け部１１の集合部１２および集合部１２を走行するワイヤー２２および送りコマ２３が洗浄水により洗浄されるとともに、この洗浄水が排泄物とともにチューブ２１ａを通じて排泄物容器６へと搬送されることにより、チューブ２１ａ内も洗浄される。また、この洗浄水の給水により排泄物が柔らかくなるため、ワイヤー２２および送りコマ２３がスムーズに走行できるようになる。
【００３２】
また、給水装置７は、受け部１１よりも高い位置に配設される筒型注水タンク３０内に洗浄水を保持し、水頭差によって洗浄水を受け部１１に給水するものであるため、洗浄水を受け部１１に給水する際に動力は不要となる。また、ポンプ等を用いて給水する場合であっても、大きな動力は不要であり、経済的効果が高い。
【産業上の利用可能性】
【００３３】
本発明は、例えば、単独での排泄行為が困難な使用者が利用可能な装着型排泄装置として有用である。
【符号の説明】
【００３４】
１  装着型排泄装置
２  装着部
３  装置本体
４  搬送装置
５  駆動部
６  排泄物容器
７  給水装置
１１  受け部
１２  集合部
２０  回転ローラ
２１ａ，２１ｂ  チューブ
２２  ワイヤー
２３  送りコマ
２４  駆動モータ
２５  駆動側プーリ
２６  シャフト
２７  スプリング
２８  シャフト用架台
３０  筒型注水タンク
３０ａ  フロート
３１  電磁弁
３２  ホース
【図１】
2013085827.tif 000003
【図２】
2013085827.tif 000004
【図３】
2013085827.tif 000005
【図４】
2013085827.tif 000006
【図５】
2013085827.tif 000007